(57)【要約】【課題】電動送風機といった風発生源を用いることなく簡易に風雨の再現等が行える水噴出器を提供する。【解決手段】水噴出器１は、水供給源から流水を入力する流水入力部２と、上記流水を駆動源にして軸回転力を生成する軸回転力生成部３と、生成された軸回転力によって風を発生させる送風部４と、上記軸回転力生成部３を経た流水を上記送風部４により発生させた風に供給して吹き飛ばす水吹き飛ばし部５と、を一体的に備えている。【選択図】図１
2019217471.tif 000002
【特許請求の範囲】
【請求項１】
水供給源から流水を入力する流水入力部と、上記流水を駆動源にして軸回転力を生成する軸回転力生成部と、生成された軸回転力によって風を発生させる送風部と、上記軸回転力生成部を経た流水を上記送風部により発生させた風に供給して吹き飛ばす水吹き飛ばし部と、を備えることを特徴とする水噴出器。
【請求項２】
請求項１に記載の水噴出器において、上記軸回転力生成部は、上記流水の水流方向に軸心を有する軸を回転させる水力羽根部を備えることを特徴とする水噴出器。
【請求項３】
請求項１に記載の水噴出器において、上記軸回転力生成部は、上記流水の水流方向と交差する方向に軸心を有する軸を回転させる水車部を備えることを特徴とする水噴出器。
【請求項４】
請求項１〜請求項３のいずれか１項に記載の水噴出器において、上記送風部は筒状空間内の奥側で送風羽根を回転させて風を上記筒状空間の先端開口側に送り出すことを特徴とする水噴出器。
【請求項５】
請求項１〜請求項４のいずれか１項に記載の水噴出器において、上記水吹き飛ばし部は、水を送風方向と交差する方向に供給することを特徴とする水噴出器。
【請求項６】
請求項１〜請求項５のいずれか１項に記載の水噴出器において、上記送風部に送風のための空気を供給する空気供給部を有することを特徴とする水噴出器。
【請求項７】
請求項１〜請求項６のいずれか１項に記載の水噴出器において、上記軸回転力生成部を通過する流水量を調節する流水量調節部を有することを特徴とする水噴出器。
【請求項８】
請求項１〜請求項７のいずれか１項に記載の水噴出器において、上記風に供給する水の量を調節する吹飛水量調節部を備えることを特徴とする水噴出器。
【発明の詳細な説明】
【技術分野】
【０００１】
この発明は、水道等からの流水を得て水を噴出させる水噴出器に関する。
【背景技術】
【０００２】
建物のサッシの水密性試験は、ＪＩＳの規定に従って、風雨の気象環境を再現した動風圧環境下で行われる。例えば、特許文献１には、建物の外壁部材の防水性能試験に用いることができる風雨発生装置が開示されており、この風雨発生装置は、送風機に連設された送風筒の先端部の送風口に散水装置が設けられた構造になっている。また、一般の水道等に接続された園芸ノズルや高圧洗浄機を用いて風雨に似せた気象環境を施工現場で簡易に作り出すことも行われている。
【先行技術文献】
【特許文献】
【０００３】
【特許文献１】特開昭６３−２７１１３５号公報
【発明の概要】
【発明が解決しようとする課題】
【０００４】
しかしながら、上記特許文献１の装置では、電動送風機（排風機）を備え重量が増大するため、施工現場の特に外部足場を用いた上層階等において水密試験作業の効率化が図れないという欠点があった。また、上記の園芸ノズルや高圧洗浄機を用いた施工現場での簡易試験では、水量や水圧の調整が比較的簡単に行えるものの、風の要素が欠落するものとなるため、実際上は風雨の再現とはならない。
【０００５】
この発明は、上記の事情に鑑み、電動送風機といった風発生源を用いることなく簡易に風雨の再現等が行える水噴出器を提供する。
【課題を解決するための手段】
【０００６】
この発明の水噴出器は、上記の課題を解決するために、水供給源から流水を入力する流水入力部と、上記流水を駆動源にして軸回転力を生成する軸回転力生成部と、生成された軸回転力によって風を発生させる送風部と、上記軸回転力生成部を経た流水を上記送風部により発生させた風に供給して吹き飛ばす水吹き飛ばし部と、を備えることを特徴とする。
【０００７】
上記の構成であれば、上記軸回転力生成部が生成する軸回転力によって風を発生させるので、電動送風機が不要で軽量且つ簡易な構造で風雨の再現が行えることになり、施工現場において水密試験作業を効率的に行うことができる。
【０００８】
上記軸回転力生成部は、上記流水の水流方向に軸心を有する軸を回転させる水力羽根部を備えてもよい。或いは、上記軸回転力生成部は、上記流水の水流方向と交差する方向に軸心を有する軸を回転させる水車部を備えてもよい。
【０００９】
上記送風部は筒状空間内の奥側で送風羽根を回転させて風を上記筒状空間の先端開口側に送り出すようにしてもよい。これによれば、上記筒状空間によって水と風の散逸を低減して効率的に風雨を送り出すことができる。
【００１０】
上記水吹き飛ばし部は、水を送風方向と交差する方向に供給してもよい。これによれば、横殴りとなるような風雨の再現が可能となる。
【００１１】
上記送風部に送風のための空気を供給する空気供給部を有していてもよい。これによれば、上記送風部による送風が効率的に行える。
【００１２】
上記軸回転力生成部を通過する流水量を調節する流水量調節部を有してもよい。これによれば、上記軸回転力生成部による軸回転速度を増減し、上記送風部における風速を調整することができる。すなわち、再現される風雨における風速の調整が行えることになる。
【００１３】
上記風に供給する水の量を調節する吹飛水量調節部を備えてもよい。これによれば、再現される風雨における雨量の調整が行えることになる。
【発明の効果】
【００１４】
本発明であれば、電動送風機といった風発生源を用いることなく簡易に風雨の再現等が行えるという効果を奏する。
【図面の簡単な説明】
【００１５】
【図１】この発明の実施形態の水噴出器の断面構造の概略を示した説明図である。
【図２】他の実施形態の水噴出器の断面構造の一部を示した説明図である。
【図３】図２の水噴出器における送風部による風への水の供給量調節を説明する説明図である。
【図４】他の実施形態の水噴出器の概略構成を示した説明図である。
【発明を実施するための形態】
【００１６】
以下、この発明の実施形態を添付図面に基づいて説明する。図１に示すように、この実施形態の水噴出器１は、例えば、樹脂素材からなっており、水供給源から流水を入力する流水入力部２と、上記流水を駆動源にして軸回転力を生成する軸回転力生成部３と、生成された軸回転力によって風を発生させる送風部４と、上記軸回転力生成部３を経た流水を上記送風部４により発生させた風に供給して吹き飛ばす水吹き飛ばし部５と、を一体的に備えている。また、この例では、当該水噴出器１を手で持つための持ち手部７も備えている。
【００１７】
上記流水入力部２は、ホース１０が装着されるホース装着部２１を備えており、水道の蛇口から上記ホース１０を介して流水を受け取ることができる。なお、ホース装着部２１には、螺子構造およびテーパー部によってホース１０の接続端を締め付ける締付構造部を備えることもできる。
【００１８】
上記軸回転力生成部３は、上記流水の水流方向に軸芯を有する回転軸３１を備えている。上記回転軸３１には水力羽根部３２が固定されおり、この水力羽根部３２が上記流水入力部２からの流水を受けて回転することで、上記回転軸３１が回転する。上記回転軸３１は、上記送風部４の領域まで延びており、この例では、上記流水入力部２と上記軸回転力生成部３と間の壁部１１、上記軸回転力生成部３と流路１２との間の壁部１３、および上記流路１２と上記送風部４との間の壁部１４を貫通して設けられている。上記流路１２は、上記壁部１３に形成された通水孔から上記流水が入り込む領域となる。
【００１９】
上記送風部４は、円筒状空間４２を備えるとともに、この円筒状空間４２の奥側に送風羽根４１を備えている。上記回転軸３１の先端は上記円筒状空間４２内に突出しており、この回転軸３１の先端側に上記送風羽根４１が固定されている。上記回転軸３１が回転することで上記送風羽根４１が回転し、上記円筒状空間４２の先端開口側に向けて送風が行われる。
【００２０】
また、上記送風部４には、上記円筒状空間４２内から水噴出器１の外側面に通じる空気供給部４３が設けられており、上記送風羽根４１の奥側領域に水噴出器１の外側から空気が供給されるようになっている。
【００２１】
上記流路１２の下流は、上記円筒状空間４２の周囲側に形成された周囲側流路１５に通じている。
【００２２】
上記水吹き飛ばし部５は、上記円筒状空間４２と上記周囲側流路１５を仕切る隔壁１６に形成された複数の貫通孔部５１を備えており、上記周囲側流路１５からの水を上記送風部４による風に、その送風方向と交差（直交でなくてもよい）する方向から供給するようになっている。
【００２３】
また、上記水吹き飛ばし部５は、上記風に供給する水量を調節する吹飛水量調節部５２を備えている。この吹飛水量調節部５２は、上記円筒状空間４２内に嵌る内側円筒部５２ａと、上記周囲側流路１５の外壁側に嵌る外側円筒部５２ｂとを備えている。また、上記周囲側流路１５の外壁側には雄螺子部１７が形成されており、この雄螺子部１７に上記外側円筒部５２ｂの内周側に形成された雌螺子部５３が螺合できるようになっている。すなわち、上記吹飛水量調節部５２をねじ込んで上記円筒状空間４２の奥側に移動させると、上記内側円筒部５２ａによって塞がれる貫通孔部５１の数が多くなり、上記風に供給する水量を減らすことができる。一方、上記吹飛水量調節部５２を上記円筒状空間４２の先端側に移動させると、上記内側円筒部５２ａによって塞がれる貫通孔部５１の数が少なくなり、上記風に供給する水量を増やすことができる。なお、例えば、上記周囲側流路１５の外壁側に弾性支持等された可動凸部を設ける一方、上記外側円筒部５２ｂの内周側に上記可動凸部が嵌る凹部が上記吹飛水量調節部５２の調整方向に複数形成された凹凸繰り返し部を設けておき、作業者の手による上記外側円筒部５２ｂの調整動作（押し込み動作や引き出し動作）によって上記貫通孔部５１の塞ぎ数を調整し、上記風に供給する水量を増減させることもできる。
【００２４】
また、上記流路１２には、上記軸回転力生成部３を通過する流水量を調節する排出流水量調節部６が設けられている。この排出流水量調節部６は、上記流路１２内に連通した曲げ可能な管部６１と、この管部６１から排水される流水の量を調節するバルブ６２とを備えている。上記バルブ６２を開けて排出流水量を増やすと、上記軸回転力生成部３を通過する際の流水の速度が増えて上記水力羽根部３２の回転速度が増加し、上記送風羽根４１による送風量（風速）が増大する。一方、上記バルブ６２を閉めて排出流水量を減らすと、上記軸回転力生成部３を通過する際の流水の速度が減って上記水力羽根部３２の回転速度が低下し、上記送風羽根４１による送風量（風速）が低下する。
【００２５】
上記の構成であれば、上記軸回転力生成部３が生成する軸回転力によって風を発生させるので、電動送風機が不要で軽量且つ簡易な構造で風雨の再現が行えることになり、施工現場での簡易試験作業を効率的に行うことができる。
【００２６】
上記送風部４が上記円筒状空間４２内の奥側で上記送風羽根４１を回転させて風を上記円筒状空間４２の先端開口側に送り出す構造であると、上記円筒状空間４２によって水と風の散逸を低減して効率的に風雨を送り出すことができる。
【００２７】
上記水吹き飛ばし部５が流水を送風方向と交差する方向に供給すると、横殴りとなるような風雨の再現が可能となる。
【００２８】
上記送風羽根４１に空気を供給する空気供給部４３を有すると、上記送風羽根４１による送風が効率的に行える。
【００２９】
上記軸回転力生成部３を通過する流水量を調節する排出流水量調節部６を有すると、上記軸回転力生成部３による軸回転速度を増減し、上記送風部４による風速を調整することができる。すなわち、再現される風雨における風速の調整が行えることになる。なお、水道の蛇口を調整して上記流水入力部２への流水量を調節することでも、上記軸回転力生成部３による軸回転速度を増減することが可能である。
【００３０】
上記風に供給する水量を調節する吹飛水量調節部５２を備えていると、再現される風雨における雨量の調整が行えることになる。
【００３１】
なお、上記の例では、上記回転軸３１によって直接に１枚の送風羽根４１を回転させたが、歯車機構を用いて上記回転軸３１の回転力を送風羽根４１に伝達するようにしてもよい。また、上記回転軸３１によって歯車機構を駆動し、複数の送風羽根を回転させることもできる。さらに、上記複数の送風羽根を着脱可能に設け、所望する風速に合わせて上記送風羽根を着脱するようにしてもよい。複数の送風羽根の配置は、例えば、主となる送風羽根の周囲に比較的小型の４枚の送風羽根を着脱可能に配置する態様等が考えられる。
【００３２】
図２に他の実施形態の水噴出器１Ａの一部を示す。この水噴出器１Ａの送風部４Ａは、先端側が広がるすり鉢状筒空間４２Ａを備える。また、水吹き飛ばし部５Ａも先端側が広がるすり鉢に形成されている。この水吹き飛ばし部５Ａは、上記風に供給する流水量を調節する吹飛水量調節部５２Ａを備える。この吹飛水量調節部５２Ａもすり鉢状の形状を有している。この吹飛水量調節部５２Ａは、その底板側の中央に設けられた係合押さえ軸部５２ｄによって、すり鉢状筒空間４２Ａ内で回動可能となるように設けられている。上記水吹き飛ばし部５Ａに形成された貫通孔部５１Ａから水が上記送風部４Ａ内に供給される。
【００３３】
また、上記吹飛水量調節部５２Ａには、上記貫通孔部５１Ａの配置と重なり得る配置で貫通孔部５２ｃが形成されている。上記吹飛水量調節部５２Ａを回動させることにより、図３に示すように、上記貫通孔部５１Ａと上記貫通孔部５２ｃとの重なりの状態を変化させることができる。上記貫通孔部５１Ａと上記貫通孔部５２ｃとの重なり量によって、上記送風部４Ａへの水の供給量が変化することになる。なお、広範囲に噴霧させたい場合には上記水吹き飛ばし部５Ａの先端側の広がり角度を例えば８０度にするようにしてもよい。
【００３４】
図４に他の実施形態の水噴出器１Ｂを示す。この水噴出器１Ｂは、水供給源から流水を入力する流水入力部２Ｂと、上記流水を駆動源にして軸回転力を生成する軸回転力生成部３Ｂと、生成された軸回転力によって風を発生させる送風部４Ｂと、上記軸回転力生成部３Ｂを経た流水を上記送風部４Ｂにより発生させた風に供給して吹き飛ばす水吹き飛ばし部５Ｂと、を備えている。
【００３５】
上記軸回転力生成部３Ｂは、上記流水の水流方向と交差する方向に軸心を有する回転軸３１Ｂを回転させる水車部３２Ｂおよびこの水車部３２Ｂの下部側に流水を供給する水路部３３Ｂを備えている。上記回転軸３１Ｂの先端には、傘歯車３０１が固定されている。また、上記傘歯車３０１には傘歯車３０２が歯合されており、この傘歯車３０２には上記回転軸３１Ｂと直交する方向（流水の水流方向）に軸心を有する回転軸３０３に上記送風部４Ｂの送風羽根４１Ｂが固定されている。上記水吹き飛ばし部５Ｂは、上記送風羽根４１Ｂの横側から水を供給する。供給された水は、上記送風羽根４１Ｂによって吹き飛ばされ、水噴出器１Ｂの噴出開口１０１から風雨が出てくることになる。なお、上記水吹き飛ばし部５Ｂには、上記水路部３３Ｂを通過した流水が供給される。また、この水噴出器１Ｂにおいても、排出流水量調節部、吹飛水量調節部、空気供給部等を設けることもできる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      ：水噴出器
１Ａ    ：水噴出器
１Ｂ    ：水噴出器
２      ：流水入力部
２Ｂ    ：流水入力部
３      ：軸回転力生成部
３Ｂ    ：軸回転力生成部
４      ：送風部
４Ａ    ：送風部
４Ｂ    ：送風部
５      ：水吹き飛ばし部
５Ａ    ：水吹き飛ばし部
５Ｂ    ：水吹き飛ばし部
６      ：排出流水量調節部（流水量調節部）
７      ：持ち手部
１０    ：ホース
１１    ：壁部
１２    ：流路
１３    ：壁部
１４    ：壁部
１５    ：周囲側流路
１６    ：隔壁
１７    ：雄螺子部
２１    ：ホース装着部
３１    ：回転軸
３１Ｂ  ：回転軸
３２    ：水力羽根部
３２Ｂ  ：水車部
３３Ｂ  ：水路部
４１    ：送風羽根
４１Ｂ  ：送風羽根
４２    ：円筒状空間
４２Ａ  ：鉢状筒空間
４３    ：空気供給部
５１    ：貫通孔部
５１Ａ  ：貫通孔部
５２    ：吹飛水量調節部
５２Ａ  ：吹飛水量調節部
５２ａ  ：内側円筒部
５２ｂ  ：外側円筒部
５２ｃ  ：貫通孔部
５２ｄ  ：係合押さえ軸部
５３    ：雌螺子部
６１    ：管部
６２    ：バルブ
１０１  ：噴出開口
３０１  ：傘歯車
３０２  ：傘歯車
３０３  ：回転軸
【図１】
2019217471.tif 000003
【図２】
2019217471.tif 000004
【図３】
2019217471.tif 000005
【図４】
2019217471.tif 000006